【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
ネットワークに接続され、相互に音声通信が可能な第１のコンテンツ視聴装置及び第２のコンテンツ視聴装置と、前記第２のコンテンツ視聴装置との間で短距離通信が可能な第２の携帯端末と、を有するコンテンツ視聴システムにおいて、
前記第２の携帯端末は、
アドレス情報と番組コンテンツ情報を含んだ予約リクエストを短距離無線通信により送信する短距離無線通信部を備え、
前記第２のコンテンツ視聴装置は、
前記予約リクエストを前記第２の携帯端末から受信する予約リクエスト受信部と、
受信した前記予約リクエストに基づき、特定されたコンテンツの視聴予約の設定を行うとともに、前記予約リクエストに含まれるアドレス情報により特定された前記第１のコンテンツ視聴装置との音声通信予約を設定する予約管理部と、
を備えることを特徴とするコンテンツ視聴システム。
【請求項２】
前記第２のコンテンツ視聴装置において、
前記予約管理部は、受信した前記予約リクエストに含まれるアドレス情報が自己のアドレスと同じであるか否かを判定し、同じと判定された場合には、音声通信予約を設定しないこと
を特徴とする請求項１に記載のコンテンツ視聴システム。
【請求項３】
前記第２のコンテンツ視聴装置は、
前記第２の携帯端末と短距離無線通信可能かどうかを判別する携帯端末確認部を備え、
前記予約管理部は、予約された処理を実行する際、前記携帯端末確認部を介して前記第２の携帯端末と通信可能かどうか判別し、通信可能でないと判断した場合には、前記予約リクエストの前記アドレス情報により指定された相手との音声通信および前記番組コンテンツ情報により指定されたコンテンツ再生処理を開始しないこと
を特徴とする請求項１または２に記載のコンテンツ視聴システム。
【請求項４】
前記第１のコンテンツ視聴装置との間で短距離通信が可能な第１の携帯端末をさらに有し、
前記第１の携帯端末は、
アドレス情報として前記第１のコンテンツ視聴装置のアドレスを含んだ予約リクエストを生成する予約リクエスト生成部と、
生成した前記予約リクエストをネットワーク経由で前記第２の携帯端末に送信する予約リクエスト送信部と
を備え、
前記第２の携帯端末は、
前記第１の携帯端末からネットワーク経由で前記予約リクエストを受信する予約リクエスト受信部を備える
ことを特徴とする請求項１から３までのいずれか１項に記載のコンテンツ視聴システム。
【請求項５】
前記第１の携帯端末において、
前記予約リクエスト送信部は、前記予約リクエストを電子メールの添付ファイルの形態で送信すること
を特徴とする請求項４に記載のコンテンツ視聴システム。
【請求項６】
前記番組コンテンツ情報は、番組コンテンツのチャンネルと、番組コンテンツのタイトルと、番組の開始時刻と、終了時刻と、を含むこと
を特徴とする請求項１から５までのいずれか１項に記載のコンテンツ視聴システム。
【請求項７】
前記添付ファイルは、画像ファイルであること
を特徴とする請求項５に記載のコンテンツ視聴システム。
【請求項８】
前記添付ファイルは、ＸＭＬファイルであること
を特徴とする請求項５に記載のコンテンツ視聴システム。
【請求項９】
前記予約リクエストに会話開始可能時刻、予約リクエスト送信者名、メッセージの少なくともいずれかを含む情報を、付加情報として付加すること
を特徴とする請求項１から８までのいずれか１項に記載のコンテンツ視聴システム。
【請求項１０】
ネットワークに接続され、相互に音声通信が可能な第１のコンテンツ視聴装置及び第２のコンテンツ視聴装置と、前記第２のコンテンツ視聴装置との間で短距離通信が可能な第２の携帯端末と、を有するコンテンツ視聴システムにおける第２のコンテンツ視聴装置であって、
前記第２のコンテンツ視聴装置は、
前記予約リクエストを前記第２の携帯端末から受信する予約リクエスト受信部と、
受信した前記予約リクエストに基づき、特定されたコンテンツの視聴予約の設定を行うとともに、前記予約リクエストに含まれるアドレス情報により特定された前記第１のコンテンツ視聴装置との音声通信予約を設定する予約管理部と
を備えることを特徴とする第２のコンテンツ視聴装置。
【請求項１１】
前記予約管理部は、予約リクエストを受信した際、既に該当する予約が行われていないかどうかを判別し、該当する予約が既に行われていた場合には、該当する予約をキャンセルする処理を行うこと
を特徴とする請求項１０に記載の第２のコンテンツ視聴装置。
【請求項１２】
ネットワークに接続され、相互に音声通信が可能な第１のコンテンツ視聴装置及び第２のコンテンツ視聴装置と、前記第１のコンテンツ視聴装置及び前記第２のコンテンツ視聴装置との間でそれぞれ短距離通信が可能な第１の携帯端末と第２の携帯端末であって、該第１の携帯端末と第２の携帯端末との間で通信を行う無線通信部をそれぞれに備える携帯端末と、を有するコンテンツ視聴システムにおける通話方法であって、
前記第１の携帯端末が、前記第１のコンテンツ視聴装置のアドレス情報と視聴する番組コンテンツを特定する番組コンテンツ情報を含んだ予約リクエストを生成し、生成した前記予約リクエストを前記無線通信部により前記第２の携帯端末に送信するステップと、
前記第２の携帯端末が受信した前記予約リクエストを前記第２のコンテンツ視聴装置に送信するステップと、
受信した前記予約リクエストに基づき、特定された前記コンテンツの視聴予約の設定を行うとともに、前記予約リクエストに含まれる前記第１のコンテンツ視聴装置のアドレス情報に基づいてネットワークを介して前記第１のコンテンツ視聴装置との音声通信予約を設定するステップと
予約内容に基づき、指定された前記コンテンツの再生を開始すると共に、指定された前記第１のコンテンツ視聴装置との音声通信を開始するステップと
を有することを特徴とする通話方法。
【請求項１３】
請求項１２に記載の方法をコンピュータに実行させるためのプログラム。
【請求項１４】
請求項１３に記載のプログラムを記録したコンピュータ読み取り可能な記録媒体。
【請求項１５】
ネットワーク経由で相互に音声通信が可能な携帯端末であって、コンテンツ視聴装置との間で短距離無線通信が可能な携帯端末において、
短距離無線通信を用いてコンテンツ視聴装置に操作指示を行う短距離無線通信部と、
アドレス情報として自己のアドレスを含んだ予約リクエストを生成する予約リクエスト生成部と、
生成した前記予約リクエストをネットワーク経由で他の携帯端末と送受信する予約リクエスト送受信部と、
受信した前記予約リクエストに基づき、特定されたコンテンツの視聴予約を設定するとともに、前記予約リクエストに含まれるアドレス情報により特定された他の携帯端末との音声通信予約を設定する予約管理部と、
を備え、
前記予約管理部は、予約された処理を実行する際、指定された相手との音声通信を開始するとともに、前記短距離無線通信部を介してコンテンツ視聴予約指示を行うこと
を特徴とする携帯端末。
【請求項１６】
前記予約管理部は、相手側の携帯端末から着信した際、該当するコンテンツ視聴会話予約の設定に基づいて、コンテンツ視聴会話の着信か否かを判別すること
を特徴とする請求項１５に記載の携帯端末。
【請求項１７】
前記予約管理部は、相手側の携帯端末からの着信に応答した際に、短距離通信により通信可能なコンテンツ視聴装置の視聴予約も同時に行うこと
を特徴とする請求項１５または１６に記載の携帯端末。